(57)【要約】【課題】  再生時にディジタル／アナログ／未記録のモード判定を正確かつ迅速に行う再生装置を提供する。【解決手段】  記録媒体に記録されたディジタル信号およびアナログ信号を含む信号を読み出す信号読み出し部と、前記記録媒体に記録され、前記記録媒体の走行速度を表す時間モードを示す情報を含む制御信号を読み出す制御信号読み出し部と、前記制御信号読み出し部からの出力に基づいて前記時間モードを判定する第１判定部と、前記第１判定部によって時間モードが判定された後に、前記信号読み出し部によって読み出された前記信号がディジタル信号であるか、アナログ信号であるかを判定する第２判定部とを備える、再生装置である。【選択図】  図１
2005102244.tif 000002
【特許請求の範囲】
【請求項１】
磁気テープ上に形成されたトラックに記録されたディジタル信号およびアナログ信号を含む信号を読み出す信号読み出し部と、
前記磁気テープに記録され、前記信号の読み出しと同時に、前記磁気テープの走行速度を表す時間モードを示す情報を含む制御信号を読み出す制御信号読み出し部と、
前記制御信号読み出し部からの出力に基づいて前記磁気テープに前記信号が記録されているか否かを判定する未記録判定部と、
前記制御信号読み出し部からの出力に基づいて前記時間モードを判定する第１判定部と、
前記第１判定部によって時間モードが判定された後に、前記信号読み出し部によって読み出された前記信号がディジタル信号であるか、アナログ信号であるかを判定する第２判定部と、
前記信号がディジタル信号である場合は、前記信号と前記制御信号とは第１の位相関係を保ち、前記信号がアナログ信号である場合は、前記信号と前記制御信号とは前記第１の位相関係とは異なる第２の位相関係を保ち、前記信号読み出し部によって読み出された前記信号がディジタル信号であるかどうかの判定を前記第２判定部が行う前に前記第１の位相関係となるようにテープの走行を制御し、
前記信号読み出し部によって読み出された前記信号アナログ信号であるかどうかの判定を前記第２判定部が行う前に前記第２の位相関係となるようテープの走行を制御を行う位相制御部を備える、再生装置。
【発明の詳細な説明】
【技術分野】
【０００１】
本発明は再生装置、特にディジタル信号またはアナログ信号を再生するＶＴＲに関するものである。
【背景技術】
【０００２】
近年、アナログ信号の再生を行うＶＴＲ（ＶＨＳ−ＶＴＲ、８ｍｍ−ＶＴＲ）が製品化されており、また、ディジタル信号を再生するＶＴＲも開発されてきている。以下に、上記した従来の再生装置の一例について説明する。
【０００３】
従来のアナログ信号を再生する再生装置において、磁気テープに記録されているＦＭ輝度信号と低域変換搬送色信号との周波数多重映像信号は、磁気ヘッドにより再生され、映像プリアンプで増幅される。映像プリアンプの出力は高域フィルタ及び低域フィルタにより、ＦＭ輝度信号及び低域変換搬送色信号に分離される。再生輝度処理回路はＦＭ輝度信号に対し、リミッタ処理、ドロップアウト補正、ＦＭ復調処理、デエンファシス、デビエーション調整、低域フィルタリング、ノイズキャンセル処理を行い、再生輝度信号を得る。一方、再生クロマ処理回路は低域変換色信号に対し、ＡＧＣ処理、バーストデエンファシス、周波数高域変換、カラーキラー処理を行い、再生搬送色信号に戻す。そして、加算器で再生輝度信号と再生搬送色信号を加算合成し、再生映像信号として出力端子に出力する。
【０００４】
また、磁気テープに深層記録方式で記録されているＦＭ音声信号は磁気ヘッドにより再生され、音声プリアンプで増幅され、帯域通過フィルタにより、左ＦＭ音声信号と右ＦＭ音声信号とに分離される。さらに、これらの信号は再生ＦＭ音声処理回路により、復調処理、ドロップアウト補正、低域フィルタリング、ノイズリダクション処理され、再生音声信号として出力端子に出力される。
【０００５】
以上のようにして、アナログ映像及び音声信号の再生を行うことができる。
【０００６】
次に、従来のディジタル信号再生装置では、磁気テープに記録されている信号は磁気ヘッドにより再生され、再生アンプで増幅された後、再生ディジタル信号処理回路へ入力される。再生ディジタル信号処理回路では、再生イコライズ、ＡＧＣ処理、チャンネルデコーディング、誤り訂正符号の復号および誤り訂正処理が行われ、出力端子に再生ディジタル信号が出力される。ここで、再生ディジタル信号は例えば、映像及び音声をＭＰＥＧ（MovingPictureExperts Group）規格に基づいて圧縮したＭＰＥＧ信号であり、この信号をＭＰＥＧデコーダで処理することにより、映像及び音声出力信号を得ることができる。
【０００７】
以上のようにして、ディジタル信号の再生を行うことが可能である。
【０００８】
現在、家庭用ＶＴＲではＶＨＳ方式のようなアナログ信号の記録再生が主流であるが、ディジタル放送等が開始されると、ディジタル信号を記録できるＶＴＲが必要になる。そこで、アナログ信号及びディジタル信号をひとつのＶＴＲで再生するには、上記アナログ信号処理回路及びディジタル信号処理回路を備えることにより可能となる。さらに、機構部品の簡略化や利便性の向上のため、ディジタル信号を記録するカセットテープとアナログ信号を記録するカセットテープの形状を略同一とすることにより、ひとつのカセットテープからアナログ信号及びディジタル信号を再生することができる。
【発明の開示】
【発明が解決しようとする課題】
【０００９】
しかしながら、このような従来の再生装置では、同一もしくは同種類のカセットテープにディジタル信号とアナログ信号を混在させて記録再生するので、再生時にディジタル信号／アナログ信号のどちらの信号が記録されているのか判別できなくなり、再生装置のディジタル信号処理系／アナログ信号処理系のどちらを動作させればよいのかわからないという問題点を有していた。
【００１０】
本発明は、上記問題点に鑑み、再生時にディジタル信号或いはアナログ信号のいずれが磁気テープ上に記録されているかまたは未記録なのかを正確かつ迅速に判定可能な再生装置を提供することを目的とするものである。
【課題を解決するための手段】
【００１１】
本発明の再生装置は、磁気テープ上に形成されたトラックに記録されたディジタル信号およびアナログ信号を含む信号を読み出す信号読み出し部と、前記磁気テープに記録され、前記信号の読み出しと同時に、前記磁気テープの走行速度を表す時間モードを示す情報を含む制御信号を読み出す制御信号読み出し部と、前記制御信号読み出し部からの出力に基づいて前記磁気テープに前記信号が記録されているか否かを判定する未記録判定部と、前記制御信号読み出し部からの出力に基づいて前記時間モードを判定する第１判定部と、前記第１判定部によって時間モードが判定された後に、前記信号読み出し部によって読み出された前記信号がディジタル信号であるか、アナログ信号であるかを判定する第２判定部と、前記信号がディジタル信号である場合は、前記信号と前記制御信号とは第１の位相関係を保ち、前記信号がアナログ信号である場合は、前記信号と前記制御信号とは前記第１の位相関係とは異なる第２の位相関係を保ち、前記信号読み出し部によって読み出された前記信号がディジタル信号であるかどうかの判定を前記第２判定部が行う前に前記第１の位相関係となるようにテープの走行を制御し、前記信号読み出し部によって読み出された前記信号アナログ信号であるかどうかの判定を前記第２判定部が行う前に前記第２の位相関係となるようテープの走行を制御を行う位相制御部を備える。
【発明の効果】
【００１２】
以上のように本発明によれば、コントロール信号により時間モード／未記録を判定し、安定した走行状態になった後、再生されたディジタル信号またはアナログ信号によりディジタル／アナログ判定を行うことにより、再生時にディジタル／アナログ／未記録のモード判定を正確かつ迅速に行うことができる。
【００１３】
さらに、磁気テープにディジタル信号及びアナログ信号が混在している場合や途中に未記録領域がある場合でもディジタル／アナログのモード判定を確実に行うことができる。
【００１４】
また、再生されたディジタル信号またはアナログ信号のどちらか一方で、磁気テープに記録された信号がディジタル信号かアナログ信号かを判定する構成とすれば、１回の検出でディジタル／アナログの判定を行え、検出が容易になるとともに、構成を簡略化できる。さらに、検出時には検出に使用しない信号処理系を停止させることで、判定時のノイズの混入を減少でき、省電力化の効果がある。
【００１５】
さらには、ギャップ幅の広い磁気ヘッドを用いることで、狭トラックの時間モードでもオントラックする確率が大きくなり、厳密なトラッキング制御や位相基準の変更が不要になるので、ディジタル／アナログ判定を高速化できる。
【００１６】
また、未記録領域に入る直前の信号記録領域における時間モード及び再生モードを記憶しておき、未記録領域後の信号記録領域に入った時、記録されている可能性の高いモードすなわち記憶しておいた時間モード及び再生モードと同じであるか否かを優先して検出することにより、モード判定に要する時間を短縮できる。
【００１７】
さらに本発明によれば、コントロール信号により時間モード／未記録を判定した後、磁気テープの位相を調整した上で、ディジタル／アナログ判定を行うことにより、ディジタル信号記録時とアナログ信号記録時でコントロール信号の位相が異なっている場合でもディジタル／アナログのモード判定を確実に行うことができる。
【００１８】
また本発明によれば、ディジタル／アナログ判定時に、ディジタル信号を記録する走行速度とは異なる走行速度で磁気テープを走行させることにより、磁気テープの位相を制御する必要なしに、確実で迅速なディジタル／アナログ判定が可能となる。
【００１９】
さらには、磁気テープの走行を停止させた状態で磁気テープに記録された信号のディジタル／アナログ判定を行うことにより、磁気テープの位相を制御する必要なしに、１回の走査でディジタル／アナログの検出が可能になり、迅速な判定ができるとともに、検出時に磁気テープの移動量がなく、使用者が意図したところから再生を開始可能である。
【発明を実施するための最良の形態】
【００２０】
以下に、本発明の実施の形態を説明する。
【００２１】
図１は本発明の第１の実施形態における再生装置のブロック図を示すものである。図１において、１は磁気テープ、２は回転シリンダ、３はＲアジマス角を有する第１の磁気ヘッド、４はＬアジマス角を有する第１の磁気ヘッド、５はＲアジマス角を有する第２の磁気ヘッド、６はＬアジマス角を有する第２の磁気ヘッド、７はコントロールヘッド、８はキャプスタンモータ、９はピンチローラ、１０は第１のポスト、１１は第２のポスト、１２は時間モード／未記録判定部、１３はテープ走行制御部、１４は第１のスイッチ、１５はアナログ映像の処理と検出を行うアナログ映像信号処理ブロック、１６はアナログ音声の処理と検出を行うＦＭ音声信号処理ブロック、１７はディジタル信号の処理と検出を行うディジタル信号処理ブロック、１８はディジタル／アナログ検出部、１９は第２のスイッチ、２０は第３のスイッチ、２１は第４のスイッチ、２２は映像信号出力端子、２３は音声信号出力端子、２４はディジタル信号出力端子である。ディジタル／アナログ判定部２９は、アナログ映像信号処理ブロック１５、ＦＭ音声信号処理ブロック１６、ディジタル信号処理ブロック１７、ディジタル／アナログ検出部１８を含んでいる。
【００２２】
ここで、第１の磁気ヘッド３及び４はアナログ映像信号用のヘッド（例えば、アジマス角±６度）であり、第２の磁気ヘッド５及び６はＦＭ音声信号及びディジタル信号用のヘッド（例えば、アジマス角±３０度）である。各々の磁気ヘッドは回転シリンダ２上に取り付けられており、回転シリンダ２には磁気テープ１が第１のポスト１０と第２のポスト１１により斜めに巻回されており、磁気テープ１に斜めに形成されたトラックをスキャンして記録された信号を読み出す。ここで、第２の磁気ヘッド５、６はディジタル信号／ＦＭ音声信号共用ヘッドとしたが、各々に個別のヘッドを設けても良い。
【００２３】
また、磁気テープ１上にテープ走行方向と平行に形成されたリニア記録領域に記録されたコントロール信号は磁気テープ１のテープパス上に固定されたコントロールヘッド７（固定ヘッド）で再生され、再生コントロール信号として、時間モード／未記録判定部１２およびテープ走行制御部１３に入力される。時間モード／未記録判定部１２は再生コントロール信号の有無により、未記録か否かを判定し、未記録でないときには、再生コントロール信号の周期により磁気テープ１を記録したときのテープ走行速度を示す時間モードを判定する。（時間モード／未記録の判定方法の詳細は後述）
そして、テープ走行制御部１３は、時間モード／未記録判定部１２より時間モードの情報を得て、キャプスタンモータ８のＦＧ信号及びコントロールヘッド７の再生コントロール信号を用いてキャプスタンモータ８を制御し、磁気テープ１を記録時と略等しい速度・位相で走行させる。ここで、オートトラッキング等により磁気テープ１の位相を調整しても良い。
【００２４】
よって、キャプスタンモータ８とピンチローラ９により磁気テープ１が所望の速度・位相で走行し、さらに回転シリンダが所定の回転速度で回転することによって、各々の磁気ヘッドは磁気テープ１上をヘリカルスキャンする。ここで、本実施形態ではディジタル信号再生時とアナログ信号再生時で回転シリンダ２の回転数は同一として説明する。もちろん、ディジタル信号再生時とアナログ信号再生時で回転シリンダ２の回転数は異なっていても良く、磁気テープ１の走行速度に対して１対１に回転シリンダ２の回転数が決まっているときには、後述する時間モード／未記録判定処理中で磁気テープ１の走行速度を指令すると同時にシリンダ２の回転数を設定すればよいし、同一の磁気テープ走行速度で回転数が異なっているときには第３の実施形態で述べる方法により設定すればよい。
【００２５】
図１４（ａ）はＦＭ音声信号記録時のトラックパターン、（ｂ）は本実施形態におけるディジタル信号記録時のトラックパターンである。実際にはヘリカルスキャンされるトラック５１は磁気テープ１上に斜めに形成されているが、ここでは簡略化して表している。図１４（ａ）、（ｂ）において、磁気テープ１上のリニア記録領域５０にはコントロール信号が記録されており、コントロール信号とＲまたはＬアジマス角のトラック５１との位相は、ＦＭ音声信号記録時とディジタル信号記録時で同一である。よって、アナログ信号再生時及びディジタル信号再生時において、テープ走行制御部１３により磁気テープ１の位相を変えることなく、第２の磁気ヘッド５、６は正確に記録トラック上をトレースし記録信号を再生できる。
【００２６】
次に、アナログ信号を再生する場合の信号処理について述べる。
【００２７】
磁気テープ１上に記録されたアナログ映像信号は、第１の磁気ヘッド３及び４により再生され、アナログ映像信号処理ブロック１５により復調され、再生映像信号を得る。また、ディジタル／アナログ検出部１８はアナログ信号であることを検出し（検出方法は後述）、第１のスイッチ１４を切り換え、第２の磁気ヘッド５及び６の出力をＦＭ音声信号処理ブロック１６へ送る。よって、磁気テープ１上に深層記録されたＦＭ音声信号は、ＦＭ音声信号処理ブロック１６で復調され再生音声信号を得る。そして、ディジタル／アナログ検出部１８の出力により、第２のスイッチ１９及び第３のスイッチ２０が切り換えられ、再生映像信号及び再生音声信号が各々映像信号出力端子２２及び音声信号出力端子２３に出力される。ここで、アナログ信号を記録再生する複数の時間モード（例えば、ＳＰ、ＬＰ、ＥＰモード）を有する場合には各々の時間モードに対して専用の磁気ヘッドを用いても良いし、いくつかの磁気ヘッドで兼用しても良い。
【００２８】
また、ディジタル信号を再生する場合には、ディジタル／アナログ検出部１８により第１のスイッチ１４が切り換えられ、第２の磁気ヘッド５及び６の出力がディジタル信号処理ブロック１７へ送られ、復調されて再生ディジタル信号を得る。さらに、ディジタル／アナログ検出部１８により第４のスイッチ２１が切り換えられ、ディジタル信号出力端子２４に再生ディジタル信号を出力する。
【００２９】
ここで、第１のスイッチ１４を切り換えて、第２の磁気ヘッド５及び６の出力をＦＭ音声信号処理ブロック１６またはディジタル信号処理ブロック１７へ入力するとしたが、ＦＭ音声信号再生時とディジタル信号再生時で信号処理回路の一部（例えば、プリアンプ等）を共用し、各々別の処理を行う手前にスイッチを設け信号を切り換えても良い。さらに、第１のスイッチ１４を用いず、第２の磁気ヘッド５及び６の出力をＦＭ音声信号処理ブロック１６及びディジタル信号処理ブロック１７の両方へ入力することも可能であり、ディジタル／アナログ判定時等でのスイッチの切り換えを省くことができる。
【００３０】
次に、時間モード／未記録判定の処理について図２を用いて説明する。
【００３１】
図２は時間モード／未記録判定部１２における時間モード／未記録判定処理の一例を説明する処理フローである。ここでは、３種類のテープ速度で記録再生が可能であり、この各々に対応して時間モードも、ＳＰ(StandardPlay)、ＥＰ(ExtendedPlay)、ＬＰ(Long Play)の３種類存在し、ＳＰ、ＥＰモードではアナログ信号の記録再生のみが、ＬＰモードではディジタル信号とアナログ信号の記録再生が可能であるとする。
【００３２】
まず、カセットテープをＶＴＲに挿入し、使用者が再生を指示した場合を例にとり説明する。まず、ＶＴＲ全体の制御部（図示せず）からテープ再生の指示を受けた時間モード／未記録判定部１２は、ステップ３０で磁気テープ１を走行させるため、テープ走行制御部１３に対し、例えば、ＳＰモードでのテープ走行指令を出す。時間モード／未記録判定部１２は、磁気テープ１の走行が安定したときに、ステップ３１でコントロール信号の有無を検出し、単なるコントロール信号の一時的な抜けでなく、磁気テープ１上にコントロール信号が記録されていないことを検出した場合には、磁気テープ１は未記録（未記録モード）であると判定し、ステップ３８でテープ走行制御部１３及びディジタル／アナログ検出部１８に通知する。コントロール信号が記録されている場合には、時間モード／未記録判定部１２は、ステップ３２、３４、３６で再生されたコントロール信号の周期を検出して時間モードを判定し、どの時間モードでもないときには、異常モードであると判定し、ステップ３９で異常モードであることをテープ走行制御部１３及びディジタル／アナログ検出部１８に通知する。ここで、ＳＰ、ＥＰ、ＬＰモードの判定順序は任意であり、例えば、ディジタル信号の再生を迅速に行いたい場合にはＬＰモードから判定すればよい。そして、時間モードが判定された場合には、ステップ３３、３５、３７でテープ走行制御部１３に対し、判定された時間モードで磁気テープ１を走行させるようにテープ走行制御部１３に対し指令を出す。次に、ディジタル信号及びアナログ信号の記録再生が可能な時間モード（本実施形態ではＬＰモード）ではディジタル／アナログ検出部１８に対し、ステップ４０で再生信号がディジタル／アナログのいずれであるかの検出を指示する。ここでは、ディジタル及びアナログ信号を記録可能な時間モードはＬＰモードのみとしたが、複数の時間モードでディジタル及びアナログ記録再生可能な場合でも同様にして時間モード判定及び処理を行う。
【００３３】
また、他の時間モード（ＳＰ、ＥＰモード）ではディジタル信号の記録再生が行われないので、時間モード／未記録判定部１２は、ステップ４１でディジタル／アナログ検出部１８に対しアナログ信号の再生処理（アナログモード）を指示する。図２には示していないが、ディジタル信号の記録再生のみを行う時間モードを有し、この時間モードであると判定されたときには、ディジタル／アナログ検出部１８に対し、ディジタル信号の再生処理（ディジタルモード）を指示すればよい。
【００３４】
このように、アナログ信号またはディジタル信号のいずれかのみを記録再生する時間モード（本実施形態ではＳＰ、ＥＰモード）では、コントロール信号を用いて磁気テープに記録された信号がディジタル信号かアナログ信号かを判定することにより、ディジタル／アナログ判定を迅速に行うことができる。
【００３５】
次に、ディジタル／アナログ検出処理について説明する。
【００３６】
図３は、ディジタル／アナログ検出部１８における処理フローの一例を示したものである。ディジタル／アナログ検出部１８は時間モード／未記録判定部１２の出力より、磁気テープ１の状態が未記録であるか、ディジタル信号が記録されているか、アナログ信号が記録されているか、ディジタル信号またはアナログ信号のいずれかが記録されているか、或いは異常モードであるかを知ることができる。よって、ディジタル／アナログ検出部１８は図３に示すように、ステップ６１、６３、６５、６８において、時間モード／未記録判定部１２からの情報に基づいて判断する。ディジタルモードの指示があれば（ステップ６１）、ディジタル／アナログ検出部１８はスイッチ１４を切り換えて第２の磁気ヘッド５、６の出力をディジタル信号処理ブロック１７に入力し、ステップ６２でディジタル信号が正常に再生できているかどうかをディジタル信号処理ブロック１７の出力するディジタル信号検出信号または再生ディジタル信号に基づいて確認し、正常に再生できていればステップ６９でディジタルモード処理を行う。ディジタルモード処理では、ディジタル／アナログ検出部１８は、第４のスイッチ２１を切り換え、ディジタル信号処理ブロック１７の出力（再生されたディジタル信号）がディジタル信号出力端子２４に出力される。
【００３７】
また、アナログモードの指示があるときには、ディジタル／アナログ検出部１８は、まず、スイッチ１４を切り換えて第２の磁気ヘッド５、６の出力をＦＭ音声信号処理ブロック１６に入力する。そして、ステップ６４においてアナログ映像信号処理ブロック１５の出力するアナログ映像信号検出信号、再生映像信号、ＦＭ音声信号処理ブロック１６が出力するアナログ音声信号検出信号、再生音声信号等を用いて、アナログ信号が正常に再生できているかを確認し、再生できていればステップ７０にてアナログモード処理を行う。このアナログモード処理では、ディジタル／アナログ検出部１８は、スイッチ１９、スイッチ１４及びスイッチ２０を切り換え、映像及び音声の再生されたアナログ信号がそれぞれ映像信号出力端子２２及び音声信号出力端子２３へ出力される。
【００３８】
次に、ステップ６５にて時間モード／未記録判定部１２より、ディジタル／アナログ検出の指示があると判断されたときには、ディジタル／アナログ検出部１８は、第２の磁気ヘッド５、６の出力がディジタル信号処理ブロック１７へ入力されるようにスイッチ１４を切り換え、ステップ６６でディジタル信号処理ブロック１７の出力するディジタル信号検出信号によりディジタル信号が磁気テープ１に記録されているかを判定し、ディジタル信号であると判定した場合は、ステップ６２で再生された信号がディジタル信号であることを確認し、ステップ６９でディジタルモードの信号処理を行う。
【００３９】
また、ディジタル／アナログ検出部１８は、ステップ６６でディジタル信号ではないと判定したときには、スイッチ１４を切り換えて第２の磁気ヘッド５、６の出力をＦＭ音声信号処理ブロック１６に入力し、ステップ６７でアナログ信号検出信号（アナログ映像信号検出信号及びアナログ音声信号検出信号）によりアナログ信号が磁気テープ１に記録されているかを判定し、アナログ信号と判定した場合には、ステップ６４でアナログ信号が再生されていることを確認した後、ステップ７０でアナログモード処理を行う。ここで、アナログ信号かどうかの判定を行ってからディジタル信号かどうかの判定を行っても良い。
【００４０】
一方、ディジタルモードの指示があるのにディジタル再生信号がない場合、アナログモードの指示があるのにアナログ信号を再生できない場合、ディジタル／アナログ検出の指示があるのにいずれの信号も再生できない場合、さらに、時間モード／未記録判定部１２から指示がないときには、ディジタル／アナログ検出部１８は、ステップ７１で異常モードであることを時間モード／未記録判定部１２に通知し異常モード処理を行う。異常モード処理ではスイッチ１９、２０、２１をＯＦＦに切り換え、各信号処理ブロック１５、１６、１７の出力を各出力端子２２、２３、２４に出力させない。また、時間モード／未記録判定部１２から未記録または異常モードの通知がある時（ステップ６８）にもステップ７２でスイッチ１９、２０、２１を切り換え、各信号処理ブロック１５、１６、１７の出力を各出力端子２２、２３、２４に出力させない。
【００４１】
ここで、ディジタル／アナログ検出部１８が時間モード／未記録判定部１２に異常モードであることを通知したとき、時間モード／未記録判定部１２はもう一度時間モード／未記録の判定を行っても良いし、異常モードを認識し、例えば直前の時間モードを保持して磁気テープ１を走行させても良い。
【００４２】
なお、ディジタル信号及びアナログ信号の確認は必須のものではなく、ステップ６２、６４はなくても良い。
【００４３】
以上のように、ディジタル信号検出信号により磁気テープに記録された信号がディジタル信号か否かを判定し、アナログ信号検出信号により磁気テープに記録された信号がアナログ信号か否かを判定することにより、ディジタル／アナログの判定を確実にできる。
【００４４】
また、ＦＭ音声信号の再生とディジタル信号の再生を同一の磁気ヘッドで行い、コントロール信号に基づき時間モード及び未記録を判定し、安定した走行状態になった後、磁気テープに記録された信号がディジタル信号かアナログ信号かを判定することにより、簡単な構成でディジタル信号及びアナログ信号が記録された磁気テープを再生できる。
【００４５】
そして、アナログ映像信号検出信号のみをアナログ信号検出信号とする構成も可能である。この場合、アナログ信号検出信号生成用にアナログ映像用ヘッド（第１の磁気ヘッド）を、ディジタル信号検出信号生成用にディジタル／ＦＭ音声共用ヘッド（第２の磁気ヘッド）を専用化でき、ＦＭ音声信号処理系を動作させる必要がなくなるので、ノイズの混入を少なくでき、ディジタル／アナログ判定をより正確にできる。また、ディジタル／アナログ検出時に第１のスイッチ１４を切り換える必要がなくなり、ディジタル検出とアナログ検出を略同時に行うことが可能になる。
【００４６】
さらに、アナログ音声信号検出信号のみをアナログ信号検出信号とする構成も可能である。この場合、再生されたＦＭ音声信号とディジタル信号でディジタル／アナログ判定を行い、ディジタル信号／ＦＭ音声信号共用ヘッドのみでディジタル／アナログ判定が可能となり、アナログ映像信号処理系を動作させる必要がなくなり、判定時のノイズの混入防止や省電力化の効果がある。
【００４７】
なお、本実施形態ではアナログモードを検出する信号として、アナログ映像信号検出信号及びアナログ音声信号検出信号を用いたが、どちらか一方のみを用いることも可能である。例えば、ＦＭ音声信号が記録されていない可能性のある場合やディジタル記録されている信号によりＦＭ音声信号検出が不正確になる場合等ではアナログ映像信号検出信号のみをアナログ信号検出信号として用いることにより検出精度を向上することが可能である。
【００４８】
また、ディジタル／アナログ検出指示があるときは、ディジタル及びアナログ信号検出信号により検出し各々判定されたモードの処理を行うとしたが、ディジタル／アナログ検出はディジタルまたはアナログ信号の再生エンベロープのレベル検出等で行い、ディジタル／アナログ判定後、再生されたディジタル信号またはアナログ信号を用いてより厳密に確認を行うことも可能であり、判定後に確認処理が必要にはなるが迅速かつ正確な判定が可能となる。
【００４９】
さらに、アナログ／ディジタル判定時及び確認時にトラッキング調整を行うことも可能であり、オートトラッキング等によりトラッキングを調整した後判定及び確認をしても良いし、判定後にディジタル／アナログの確認が必要にはなるが、判定時にはオートトラッキングを行わず確認時にオートトラッキングをすることによりディジタル／アナログ判定を高速化しても良い。
【００５０】
また、再生音声信号はＦＭ音声信号を再生したものであるとしたが、リニアトラックに記録されるリニア音声信号等他の音声信号の再生が可能なときには、その信号を再生音声信号として出力しても良く、この時ディジタル／アナログ検出でアナログ信号検出信号として、この音声信号のレベルを検出したもの等を使用しても良い。
【００５１】
そして、第１のスイッチ１４を用いず、第２の磁気ヘッド５及び６の出力をＦＭ音声信号処理ブロック１６及びディジタル信号処理ブロック１７の両方へ入力することも可能であり、これによって構成を簡単にできる。
【００５２】
次に、ディジタル信号検出信号を生成する処理の例を図４、図５を用いて説明する。
【００５３】
図４はディジタル信号処理ブロック１７の処理の一例を示すブロック図である。第２の磁気ヘッド５、６の出力は、第１のスイッチ１４を経てディジタル信号処理ブロック１７に入力され、再生アンプ１０１により増幅され、再生イコライズ及びＡＧＣ処理回路１０２、チャンネルデコーディング回路１０３により信号処理された後、誤り訂正復号器１０４によって復号が行われ、再生信号の誤りが訂正される。また、誤り訂正復号器１０４は、復号されたディジタル信号を第４のスイッチ２１に出力し、エラーフラグ検出器１０５に対して再生信号の誤りを示すエラーフラグを出力し、エラーフラグ検出器１０５はエラーフラグの入力状況に基づいて再生状態を検出して（例えば、単位時間当たりのエラーフラグの数を計測して所定の数より少なければ正常であると判定する）正常にディジタル信号が再生できているときにはディジタル信号検出信号をディジタル／アナログ検出部１８へ出力する。このとき、ディジタル信号検出信号生成部は再生アンプ１０１、再生イコライズ及びＡＧＣ処理回路１０２、チャンネルデコーディング回路１０３、誤り訂正復号器１０４及びエラーフラグ検出器１０５で構成される。
【００５４】
また、図５に示すように、チャンネルデコーディング回路１０３から信号を取り出し、シンク検出回路１０６でディジタル信号の同期信号を検出し同期信号の周期をチェックして正しく同期信号が再生できているかを判定し、この結果をディジタル信号検出信号として出力することも可能である。このとき、ディジタル信号検出信号生成部は再生アンプ１０１、再生イコライズ及びＡＧＣ処理回路１０２、チャンネルデコーディング回路１０３及びシンク検出回路１０６で構成される。
【００５５】
さらに、再生アンプ１０１の出力信号のエンベロープレベルを検出することによりディジタル信号検出信号を生成しても良い。
【００５６】
なお、誤り訂正復号器１０４の後にディジタル信号デコーダ回路を設け、アナログ映像信号および音声信号に変換して第４のスイッチ２１に出力するように構成しても良い。
【００５７】
次に、アナログ信号検出信号について説明する。アナログ信号検出信号はアナログ映像信号検出信号とアナログ音声信号検出信号の２つからなり、磁気テープ１に記録されているアナログ信号が正常に再生できているかをどちらか一方または両方の信号によりディジタル／アナログ検出部１８で検出する。図６はアナログ映像信号検出信号の生成処理を示すアナログ映像信号処理ブロック１５の構成の一例である。第１の磁気ヘッド３、４の出力はプリアンプ１１１で増幅され、高域フィルタ１１２で再生輝度信号が、低域フィルタ１１３で再生クロマ信号が分離され、各々、再生輝度信号処理回路１１４及び再生クロマ信号処理回路１１５で復調され、加算器１１７で加算合成され、第２のスイッチ１９に出力される。ここで、映像エンベロープ検出器１１６は、低域フィルタ１１３の出力エンベロープレベルを検出し、アナログ映像信号が正常に再生できているときにはアナログ映像信号検出信号を出力する。このとき、アナログ信号検出信号生成部はプリアンプ１１１、低域フィルタ１１３及び映像エンベロープ検出器１１６である。もちろん、検出するエンベロープはプリアンプ１１１等の出力でも良いし、再生輝度信号処理回路１１４でＶシンク信号又はＨシンク信号が正常に再生できたかを検出しアナログ映像信号検出信号を生成しても良い。
【００５８】
図７はアナログ音声信号検出信号を生成する処理を示すＦＭ音声信号処理ブロック１６の処理の一例である。第２の磁気ヘッド５、６の出力はプリアンプ１２１で増幅され、帯域通過フィルタ１２２で右ＦＭ音声信号と左ＦＭ音声信号とに分けられ、再生ＦＭ音声処理回路１２３により復調されて第３のスイッチ２０へ出力される。エンベロープレベル検出器１２４は、帯域通過フィルタ１２２の出力のエンベロープレベルを検出し、正常にアナログ音声信号が再生されているときには、アナログ音声信号検出信号を出力する。このとき、アナログ信号検出信号生成部はプリアンプ１２１、帯域通過フィルタ１２２及びエンベロープレベル検出器１２４である。
【００５９】
ここで、エンベロープレベルの検出は右ＦＭ音声信号または左ＦＭ音声信号のどちらか一方で行っても良いし、両方を用いても良い。さらには、プリアンプ１２１の出力をエンベロープレベル検出し、アナログ音声信号検出信号を生成することも可能である。また、再生ＦＭ音声処理回路１２３中で再生音声信号が正常に復調できたかを検出しアナログ音声信号検出信号を生成しても良い。
【００６０】
次に、一つのカセットテープにディジタル信号とアナログ信号とが混在している場合や途中に未記録部分がある場合のモード検出処理について説明する。
【００６１】
図８は第１の実施形態のモード検出の一例を示した状態遷移図である。本実施形態では図２、図３を用いて説明したように磁気テープ１が未記録であることを示す未記録モード９０、ディジタル信号が記録されていることを示すディジタルモード９１、アナログ信号が記録されていることを示すアナログモード９２、何らかの異常がある異常モード９３の４つのモードを有する。
【００６２】
まず、磁気テープ１の未記録領域を磁気ヘッドが走査しているとき、ＶＴＲの使用者が再生を指示すると、時間モード／未記録判定部１２はコントロール信号が検出されないことにより未記録であることを判定し、テープ走行制御部１３は、例えばＳＰモードで磁気テープ１を走行させ、コントロール信号が再生されるまで、この未記録モードを保持する。磁気テープ１の未記録領域が終わりコントロール信号が再生され始めると状態９４に移行し、時間モード／未記録判定部１２は時間モードを判定し、テープ走行制御部１３は判定された時間モードの速度・位相で磁気テープ１を走行させる。このようにして時間モードが決定された後、状態９５でディジタル／アナログ検出部１８により磁気テープ１に記録されている信号がディジタル信号かアナログ信号かを判定し、状態９６または９７でディジタル信号またはアナログ信号を確認し各々のモード状態９１、９２に移行する。これらの検出処理の詳細は図２及び図３を用いて説明したのと同様であり、状態９５、９６、９７は図３を用いて説明したディジタル／アナログ検出処理に相当する。ここで、状態９１及び９２中では各々再生したディジタル信号及びアナログ信号の有無を監視しているので、状態９６、９７はなくても良い。
【００６３】
また、磁気テープ１に記録されたディジタル信号が正常に再生されているディジタルモードから他のモードへ移行するときには、ディジタル信号検出信号が無くなることにより磁気テープ１上のディジタル信号が記録されていたディジタル信号記録領域が終わったことをディジタル／アナログ検出部１８は、認識する。ディジタル信号記録領域の終端を認識することにより、ディジタルモードから状態９４へ移行し、時間モード／未記録判定部１２は、時間モード／未記録の判定を行う。ディジタル信号記録領域後の領域で、コントロール信号が再生できないときには未記録モードへ移行し、時間モードが判定されたときにはディジタル／アナログ判定を行う状態９５へ移行する。同様にして、アナログ信号記録領域の終端はアナログ信号検出信号が無いことで判定し、アナログモードから状態９４へ移行する。
【００６４】
また、異常モードへの遷移は図２、図３を用いて説明した条件のもとで行い、状態９５、９６、９７から移行する。ここで、異常モードの処理は任意であり、未記録モードの処理と同じとしてもよいし、時間モード（磁気テープ１の走行速度・位相）は直前のモードを保持してもよい。
【００６５】
このように、コントロール信号により時間モード／未記録を判定した後、再生されたディジタル信号またはアナログ信号によりディジタル／アナログ判定を行うことにより、磁気テープにディジタル信号及びアナログ信号が混在している場合や途中に未記録領域がある場合でもディジタル／アナログのモード判定を確実に行うことができる。
【００６６】
なお、ディジタル信号記録領域およびアナログ信号記録領域中では、時間モードが同一で各々ディジタルまたはアナログ信号が記録されていれば複数のプログラムが連続またはつなぎ撮り記録されていてもかまわない。また、つなぎ撮り記録等でトラッキングがずれる場合にはディジタルまたはアナログモード内で信号レベルの悪化を検出しオートトラッキング等により磁気テープ１の位相を調整し直しても良い。
【００６７】
そして、ディジタル信号記録領域／アナログ信号記録領域後の領域が未記録や直前の領域と異なる時間モードである時には、ディジタル信号記録領域／アナログ信号記録領域の終端をコントロール信号で判定することも可能であり、再生信号と併用することにより確実性を高めることができる。
【００６８】
また、図９にディジタル信号を再生する時間モードが一つしかない場合の状態遷移図を示す。ディジタル／アナログ検出部１８は、ディジタル信号記録領域の終端をディジタル信号検出信号で判定し、ディジタル信号記録領域後の領域において、状態９８でコントロール信号によりディジタルモードを含まない時間モードが決定できたときには磁気テープ１にアナログ信号が記録されていると判定することが可能である。また、ここでコントロール信号が再生できないときは未記録と判定できる。よって、状態９８でコントロール信号により磁気テープ１にアナログ信号が記録されているか否かを検出することにより、ディジタルモードからアナログモードへの遷移を迅速に行うことができる。また、同様にして、アナログ信号を再生する時間モードがひとつしかない場合には、アナログモードからディジタルモードへの遷移を高速化することも可能である。
【００６９】
このように、ディジタル信号またはアナログ信号が記録されているモードがひとつしかない場合にはコントロール信号のみでディジタル信号またはアナログ信号記録領域後の領域に記録されている信号がアナログ信号かまたはディジタル信号かを迅速に判定できる。
【００７０】
以上のように、コントロール信号により時間モード／未記録を判定した後、再生されたディジタル信号またはアナログ信号によりディジタル／アナログ検出を行うことにより、ディジタル／アナログのモード判定を常に正確に行うことができる。
【００７１】
以下本発明の第２の実施形態について図面を参照しながら説明する。ここでは、ディジタル／アナログ検出部１８がディジタル信号検出信号又はアナログ信号検出信号のどちらか一方で判定する場合について述べる。
【００７２】
図１０、図１１はディジタル信号検出信号のみで検出を行う場合の例である。図１０において、第２の磁気ヘッド５、６の出力はＦＭ音声信号処理ブロック１６及びディジタル信号処理ブロック１７に送られる。この信号からディジタル信号処理ブロック１７内のディジタル信号検出信号生成部でディジタル信号検出信号を生成し（生成処理は第１の実施形態と同様）、この信号によりディジタル／アナログ検出部１８は再生信号がディジタル信号かアナログ信号かを判定する。ここで、ディジタル信号処理ブロック１７内のディジタル信号検出信号生成部は、アナログ信号再生中も常に動作し、磁気テープ１に記録された信号がアナログ信号からディジタル信号に変化した場合でも迅速にディジタル／アナログ判定を行うことが可能である。
【００７３】
図１１はディジタル／アナログ判定時の動作を示すフローチャートである。なお、時間モード／未記録判定処理は、図２と同じである。ステップ８１でディジタル／アナログ検出指示の有無を判定し検出指示が有る場合には、ステップ８２でディジタル信号検出信号を用いて磁気テープ１上にディジタル信号またはアナログ信号のいずれが記録されているかを検出する。ここで、ディジタル信号検出信号によりディジタル信号が記録されていると検出した場合には、ステップ８４でディジタル信号を確認した後、処理６９でディジタルモードの処理を行い、ステップ８２でディジタル信号検出信号がないときには、アナログ信号であると判断しステップ８６でアナログ信号が正常に再生されているかを確認する。アナログ信号が確認できたときにはステップ７０でアナログモード処理を行い、ステップ８６でアナログ信号が確認できないとき及びステップ８４でディジタル信号が確認できないときにはステップ７１で異常モードの通知及び処理を行う。
【００７４】
また、ディジタルモードやアナログモードの指示、未記録または異常モードの指示があるときはステップ８３、８５、８７で図３で述べたのと同様に処理される。ここで、ステップ８４、８６でのディジタル信号又はアナログ信号が正常に再生できているかの確認方法は任意であり、映像出力信号や音声出力信号で確認すればよいし、さらには、確認をしなくても良い。
【００７５】
また、アナログ信号検出信号のみを用いても同様にして検出可能である。図１２はアナログ信号検出信号のみを用いて、磁気テープ１に記録されている信号がディジタル信号かアナログ信号かの判定を行う場合の一例である。ここでは、ＦＭ音声信号の有無によりディジタル／アナログ判定を行う場合を示す。
【００７６】
図１２において、第２の磁気ヘッド５、６の出力はＦＭ音声信号処理ブロック１６及びディジタル信号処理ブロック１７に送られる。この信号からＦＭ音声信号処理ブロック１６内のアナログ信号検出信号生成部は、アナログ信号検出信号を生成し（生成方法は第１の実施形態と同様）、この信号によりディジタル／アナログ検出部１８は再生信号がディジタル信号かアナログ信号かを判定する。ここで、ＦＭ音声信号処理ブロック１６内のアナログ信号検出信号生成部は、ディジタル信号再生中も常に動作し、磁気テープ１に記録された信号がディジタル信号からアナログ信号に変化した場合でも迅速にディジタル／アナログ判定を行うことが可能である。また、ディジタル／アナログ検出時の動作は図１１と同様であるので説明を省略する。もちろん、ＦＭ音声信号処理ブロック１６内のアナログ信号検出信号生成部の代わりにアナログ映像信号処理ブロック１５内のアナログ信号検出信号生成部を用いても良い。
【００７７】
図１３はアナログ映像信号用に複数の磁気ヘッドを搭載する場合の例である。ここで、２５、２６は長時間モード用磁気ヘッドであり、第１の磁気ヘッド３、４よりもギャップ幅が狭く、狭トラック（ＬＰモード、ＥＰモード）でも隣接クロストークの少ない再生が可能である。長時間モード用磁気ヘッド２５、２６の出力と第１の磁気ヘッド３、４の出力は第５のスイッチ２８により切り換えられ、アナログ映像信号処理ブロック１５に送られる。また、第１の磁気ヘッド３、４の出力はアナログ信号検出信号生成部２７にも出力され、アナログ信号検出信号生成部２７が生成するアナログ信号検出信号を用いて、ディジタル／アナログ検出部１８は磁気テープ１に記録されている信号がディジタル信号かアナログ信号かの判定を行う。ここで、アナログ信号検出信号生成部２７は図６を用いて説明したアナログ信号検出信号生成部と同様のものである（例えば、アナログ再生信号中のＨシンクを検出する）。このアナログ信号検出信号生成部２７はディジタルモードやアナログ信号を再生する狭トラックの時間モード（ＬＰ，ＥＰモード）でも常に動作し、磁気テープ１に記録されている信号がディジタル信号かアナログ信号かを常に監視する。このようにギャップ幅の広い磁気ヘッドを用いることで、狭トラックの時間モードでもオントラックする確率が大きくなり、正確なトラッキングをしなくてもアナログ信号か否かの検出を正確に行うことが可能になる。
【００７８】
以上のように、再生されたディジタル信号またはアナログ信号のどちらか一方で、磁気テープに記録された信号がディジタル信号かアナログ信号かを判定することも可能であり、１回の検出でディジタル／アナログの判定を行え、検出が容易になるとともに、構成を簡略化できる。さらに、検出時には検出に使用しない信号処理系を停止させることで、ノイズの混入を減少でき、正確なディジタル／アナログ判定が可能となる。
【００７９】
以下本発明の第３の実施形態について図面を参照しながら説明する。ここで、本実施形態における再生装置のブロック図、時間モード／未記録の判定処理及び状態遷移は第１の実施形態と同様であるので説明を省略する。図１４（ｃ）は本実施形態のディジタル信号記録時のトラックパターンであり、リニア領域５０に記録されているコントロール信号の位相は図１４（ａ）に示すＦＭ音声信号記録時のトラックパターンと異なり、位相が１８０度ずれている。図１４（ｄ）は本実施形態のヘッドスイッチ信号（ＨＳＷ）と再生コントロール信号（ＣＴＬ）の関係を表すタイミング図である。ここで、第１の磁気ヘッド用ＨＳＷ、第２の磁気ヘッド用ＨＳＷ及びアナログ再生時のＣＴＬは第１の実施形態でも同じであるが、第１の実施形態では、図１４（ｄ）に示す第３の実施形態とは異なり、ディ
ジタル再生時のＣＴＬとアナログ再生時のＣＴＬは同様のものとなる。また、ＨＳＷは回転シリンダ２の回転に同期した信号であり、周波数はシリンダの回転数と同一である。さらに、回転シリンダ上の第１の磁気ヘッドと第２の磁気ヘッドの取付け位置の角度分だけ、第１の磁気ヘッド用ＨＳＷと第２の磁気ヘッド用ＨＳＷの位相は異なる。そして、ＣＴＬは磁気テープ１を走行させ、磁気テープ１のリニア記録領域５０に記録されたコントロール信号を固定ヘッド７により再生した再生波形である。ここで、磁気テープ１の走行速度はディジタル信号記録時再生とアナログ信号再生時で同一であるとして説明する。
【００８０】
まず、アナログ信号が記録された図１４（ａ）に示すラックパターンの磁気テープ１を、図１４（ｄ）に示すアナログ再生時のＣＴＬの位相で走行させると、Ｒアジマス角の第２の磁気ヘッド５は磁気テープ１上のＲアジマス角のトラック上を、Ｌアジマス角の第２の磁気ヘッド６はＬアジマス角のトラックを走査し、トラックに記録されたＦＭ音声信号を再生する。この時、第１の磁気ヘッドも同様にして、各磁気ヘッドが各々同じアジマス角のトラック上を走査し、アナログ映像信号を再生する。これは第１の実施形態でも同様である。
【００８１】
次に、本実施形態において、ディジタル信号が記録された図１４（ｃ）に示すトラックパターンの磁気テープ１を、第１の実施形態と同様に、図１４（ｄ）に示す第２の磁気ヘッド用ＨＳＷとアナログ再生時のＣＴＬとの関係を保つ位相で走行させる場合を考えると、Ｒアジマス角の第２の磁気ヘッド５は磁気テープ１上のＬアジマス角のトラック上を、Ｌアジマス角の第２の磁気ヘッド６はＲアジマス角のトラックを走査し、アジマス損失によってトラックに記録された信号を再生できない。（一方、第１の実施形態では、ディジタル信号再生時のＣＴＬとアナログ信号再生時のＣＴＬとが同一であるので、信号は再生されてしまう。）
このように、ＦＭ音声信号記録時とディジタル信号記録時でコントロール信号の位相を異ならせることにより、ディジタル信号の再生ができない再生装置にディジタル記録した磁気テープをかけたときに不快な雑音（ビート音等）が再生されるのを防ぐことが可能である。
【００８２】
よって、ディジタル信号が記録された図１４（ｃ）に示すトラックパターンの磁気テープ１を再生するときには、まずＶＴＲ全体の制御部からディジタルモードで磁気テープ１を走行させるようにテープ走行制御部１３へ指令が送られる。テープ走行制御部１３が磁気テープ１の走行時の位相を図１４（ｄ）に示すディジタル再生時のＣＴＬと同一の位相に設定（位相基準を設定）し、磁気テープ１を所望の位相・速度で走行させる。よって、各磁気ヘッド５、６は各々同じアジマス角のトラック上を走査し、記録されたディジタル信号を再生できる。
【００８３】
図１５は本発明の第３の実施形態のディジタル／アナログ判定の処理を示した処理フローであり、図３と同一の処理には同一の符号を付し説明を省略する。ここで、時間モード／未記録判定部１２よりディジタル／アナログ検出指示が有ることをステップ６５で認識すると、ステップ７３において、ディジタル／アナログ検出部１８は磁気テープ１の位相をディジタルモードに変更するようにテープ走行制御部１３に対して指令を出す。この指令により、テープ走行制御部１３は図１４（ｃ）に示したＲアジマス角のトラック上をＲアジマス角の第２の磁気ヘッド５が、Ｌアジマス角のトラック上をＬアジマス角の第２の磁気ヘッド６が各々走査するように磁気テープ１の位相基準を変更する。
【００８４】
ここで、時間モード／未記録判定部１２において時間モードを判定した後、ディジタル／アナログ検出指示を出すと共に、磁気テープ１がディジタルモードの速度・位相で走行するように指令を出せばステップ７３は無くても良い。
【００８５】
次に、ステップ６６でディジタル信号検出信号の有無を検出し、ディジタル信号検出信号があるときには、ステップ６２でディジタル信号を確認し、ディジタル信号が正常に再生されている場合には処理６９でディジタルモードの処理を行う。そして、ステップ６６でディジタル信号検出信号がないときには、テープ走行制御部１３に対して指令を出しステップ７４で磁気テープ１の位相基準をアナログモードに変更して、ステップ６７でアナログ信号検出信号の有無によりアナログ信号が記録されているかを検出し、アナログ信号検出信号があるときにはステップ６４でアナログ信号を確認してステップ７０でアナログモード処理を行う。また、ステップ６２でディジタル信号が確認できなかったとき、ステップ６７でアナログ信号検出信号がないとき及びステップ６４でアナログ信号が確認できなかったときにはステップ７１で異常モードの通知及び処理を行う。
【００８６】
ここで、ディジタル信号／アナログ信号の確認は必須のものではなく、ステップ６２及びステップ６４はなくても良い。
【００８７】
以上のように、コントロール信号により時間モード／未記録を判定した後、ディジタル／アナログ検出部において磁気テープの位相を調整し、ディジタル信号検出信号またはアナログ信号検出信号によりディジタル／アナログ判定を行うことにより、ディジタル信号記録時とアナログ信号記録時でコントロール信号の位相が異なっている場合でもディジタル／アナログのモード判定を確実に行うことができる。
【００８８】
なお、位相基準を変更してディジタルまたはアナログ信号検出信号を検出する際に、オートトラッキングを行い最適なトラッキング位置に磁気テープ１の位相を固定した後にディジタル信号またはアナログ信号を検出しても良いし、位相基準を変更せずオートトラッキングを行い、最適なトラッキング点を検出して磁気テープ１の位相を決定した後検出を行っても良い。
【００８９】
また、本実施形態ではディジタル信号検出信号及びアナログ信号検出信号を用いたが、第２の実施形態で述べたようにどちらか一方のみでもディジタル／アナログ判定が可能である。
【００９０】
また、図１３で説明したように、トラックピッチよりも幅広なギャップ幅を有する磁気ヘッド（例えば、トラックピッチの２倍以上のギャップ幅を有する磁気ヘッド）を用いれば、本実施形態で述べたような位相基準の変更なしにアナログ信号検出信号を生成可能であり、位相基準の変更が不要になり、ディジタル／アナログ判定を高速化できる。
【００９１】
さらに、本実施形態ではディジタル信号記録時とアナログ信号記録時でコントロール信号の位相が異なっている場合について述べたが、ディジタル信号記録時とアナログ信号記録時で回転シリンダの回転数が異なる場合等でもステップ７３、７４で回転シリンダの回転数を変更することにより、正確なディジタル／アナログ判定が行える。
【００９２】
以下本発明の第４の実施形態について図面を参照しながら説明する。
【００９３】
第３の実施形態のように、ディジタル信号の記録時とＦＭ音声信号記録時でコントロール信号の位相が異なっていると、ディジタル／アナログ検出時に磁気テープの位相基準を変更する必要があり、検出に時間がかることがある。一般に、カセットテープを管理する場合、ひとつのカセットテープ中にディジタル及びアナログ信号の記録を混在させることは少ないので、磁気テープ１中に未記録領域がある場合には未記録領域直前の再生モードを優先してディジタル／アナログの検出を行うことにより判定時間の短縮が可能である。ここで、再生モードは磁気テープ１に記録されている信号がディジタル信号かアナログ信号かを示すものであり、ディジタルモードとアナログモードの２種類が存在する。
【００９４】
また、ひとつのカセットテープ中に複数の時間モードでの記録を混在させることも少ないので、磁気テープ１中に未記録領域がある場合には未記録領域直前の時間モードを優先して検出を行うことにより判定時間を短縮することも可能である。
【００９５】
図１６に磁気テープ中に信号が記録された領域と未記録領域とが混在している例を示す。磁気テープ１上にディジタル信号が記録されているディジタル信号記録領域１５１の後に未記録領域１５２が、未記録領域１５２の後にディジタル信号記録領域１５３が存在する。図１７は本実施形態における再生装置のブロック図である。図１と同一のブロックについては同一の符号を付し説明を省略する。ここで、時間モード記憶部１７１は時間モード／未記録判定部１２で判定された結果を蓄え、再生モード記憶部１７２はディジタル／アナログ検出部１８での判定結果を蓄える。
【００９６】
図１８および図１９は、それぞれ本実施形態における時間モード／未記録判定処理およびディジタル／アナログ判定処理のフローチャートである。図１８に示す時間モード／未記録判定処理は第１の実施形態の図２と同様であるが、異なる点は図１８においてステップ３２、３４、３６にて時間モード検出後ステップ１８１、１８２、１８３にてそれぞれの時間モード情報を時間モード／未記録判定部１２が出力し時間モード記憶部１７１に記憶する点である。その他の処理は図２を用いて説明した内容と同様であるので省略する。
【００９７】
また、図１９に示すディジタル／アナログ判定処理は図１５を用いて説明した内容と同様であるが、異なる点はステップ６２にてディジタル信号確認後ステップ１９１にてディジタル／アナログ検出部から出力された再生モード情報（ディジタルモード）を再生モード記憶部１７２が蓄える点、およびステップ６４にてアナログ信号確認後ステップ１９２にてディジタル／アナログ検出部から出力された再生モード情報（アナログモード）を再生モード記憶部１７２が蓄える点である。これにより、例えばディジタル信号記録領域１５１を走査しているときには、時間モード記憶部には「ＬＰモード」という情報が、再生モード記憶部には「ディジタルモード」という情報が記憶される。次に未記録領域に進んだ時には、未記録状態であると判定され未記録モード処理がなされる。時間モード記憶部１７１および再生モード記憶部１７２に蓄えられた情報は、その前の情報「ＬＰモード」、「ディジタルモード」が保持される。
【００９８】
次に、ディジタル信号記録領域１５３に入った場合の処理について図２０および図２１を用いて説明する。ディジタル信号記録領域１５３に入ると、時間モード／未記録検出部１２は未記録領域が終了したことをコントロール信号により検出した後、時間モード記憶部１７１に記憶してある時間モードを優先して検出する。例えば、記憶されていた内容が「ＬＰモード」であれば、ステップ２０１、ステップ２０２を通過した後、ステップ２０３からステップ２３７に進む。未記録領域を走行中の速度はＬＰモードの速度であるとは限らないため、ステップ２３７にて時間モード／未記録判定部１２はテープ走行制御部１３に対して、磁気テープ１をＬＰモードの速度で走行させる指示を出力する。次にステップ２０６に進み、ＬＰモードであるか否かの検出が行われる。ＬＰモードであることが検
出されたなら、ステップ２０９に進み図１８においてＬＰモードが検出された場合と同じ処理を行う。ステップ２０６にてＬＰモードでなかった場合は、ステップ２１０に進み従来と同様の時間モード検出処理を行う。ただし、時間モード記憶部１７１に記憶されている時間モード（この場合はＬＰモード）であるかどうかの判定は行わなくてもよい。
【００９９】
検出結果がディジタル及びアナログ記録再生可能な時間モードであれば、ディジタル／アナログ検出部１８に対しディジタル／アナログ検出指示を出力する。ディジタル／アナログ検出部１８は再生モード記憶部１７２に記憶してある再生モードを優先して検出する。例えば、記憶されていた内容が「ディジタルモード」であれば、ステップ２１１からステップ２１３に進み磁気テープの位相をディジタルとし、ステップ２１４にてディジタルモードであるか否かの検出が行われる。もちろん、時間モード記憶部１７１に記憶された時間モードでテープを走行させる際に、再生モード記憶部１７２に記憶された再生モードの位相で磁気テープ１を走行させてもよい。ディジタルモードであることが検出されたなら、ステップ２１７に進み図１９のディジタルモード処理を行う。ステップ２１４にてディジタルモードでないと検出された場合は、ステップ２１９に進み従来と同様の再生モード検出処理を行う。
【０１００】
時間モード記憶部１７１の内容がＳＰモードおよびＥＰモードの場合や再生モード記憶部１７２の内容がアナログモードの場合も上記と同様の処理がなされ、記憶されたモードについて優先して検出処理がなされる。
【０１０１】
このように、未記録領域直前の時間モード及び再生モードを記憶し、未記録領域後の信号記録領域で記憶した時間モード及び再生モードを優先して検出することにより、モード判定に要する時間を少なくできる。また、アナログ信号記録領域、未記録領域、アナログ信号記録領域と磁気テープ１上に記録されている場合にも未記録領域直前の時間モード及び再生モードを優先して検出することにより判定を高速化できる。
【０１０２】
もちろん、再生モードまたは時間モードのいずれかのみを優先して検出するとしても良い。例えば、ディジタル信号を記録再生する時間モードが複数有る場合には、未記録領域後の信号記録領域の時間モードがディジタル及びアナログ記録可能な時間モードで有れば、たとえ未記録領域直前の時間モードと異なっていても、未記録領域直前の再生モード（ディジタルモード）を優先して検出することにより、記録されている可能性の高い再生モードを迅速に検出できる。
【０１０３】
なお、未記録領域中でも未記録領域直前の再生モード（磁気テープ１の位相）を保持することにより、未記録領域の前後で再生モードが不変であれば、磁気テープ１の位相を変える必要が無くなり、未記録領域後の信号記録領域での検出をさらに高速化できる。また、時間モードに対しても同様で有り、検出時間を短縮できる。
【０１０４】
そして、未記録領域中では直前の再生モードにかかわらず、磁気テープを存在する時間モード中で最高速のモードで走行させることにより未記録領域のスキップを高速化できる。もちろん、２倍速、３倍速等高速で磁気テープを走行させても良い。
【０１０５】
また、本実施形態では、未記録領域１５２からディジタル信号記録領域１５３に入った場合、各時間モードを検出するステップ２０４、２０５、２０６の前にステップ２３３、２３５、２３７において時間モード／未記録判定部１２はテープ走行制御部１３に対して、時間モード記憶部１７１に記憶された時間モードの速度で磁気テープ１を走行させる指示を出力するとしたが、未記録領域１５２での走行速度を保持したままで最初にそれぞれの時間モードを検出し、記憶された時間モードと同じ時間モードが検出された後で磁気テープ１をそれぞれの時間モードの速度で走行させる指示を発行してもよい。
【０１０６】
さらに、ここで述べた未記録領域直前の再生モードや時間モードを優先してディジタル／アナログの判定や未記録及び時間モードの判定を行う方法は第１、第２および第３の実施形態にも適用可能である。
【０１０７】
以上のように、未記録領域直前の再生モードを記憶し未記録領域後の信号記録領域で記憶した再生モードを優先して検出することにより、モード判定を迅速に行うことが可能となる。
【０１０８】
以下本発明の第５の実施形態について図面を参照しながら説明する。
【０１０９】
図２２は、本実施形態における再生装置のブロック図である。本実施形態では、第１の実施形態にある時間モード／未記録判定部１２を含んでいない。その他の点は第１の実施形態と同様であるので説明を省略する。本実施形態では、ディジタル信号を記録する時間モード以外のモードの速度で磁気テープを走行させ、ディジタル／アナログ判定を行う例について説明する。
【０１１０】
図２３（ａ）は、ディジタル／アナログ検出時に磁気テープ１をディジタル信号を記録する時間モードの２倍の速度で走行させる場合の例である。ディジタル／アナログ判定部１８は、テープ走行制御部１３に指令を出し、ディジタル信号を記録する走行速度の２倍の速度で強制的に磁気テープ１を走行させる。もちろん、ここではオートトラッキングを行わない。そして、キャプスタンモータ８とピンチローラ９により磁気テープ１が所望の速度で走行し、一方、回転シリンダは所定の回転速度で回転しており、各々の磁気ヘッドは磁気テープ１上を図２３（ａ）に矢印で示すように走査する。このとき、各磁気ヘッドは１回の走査でＲアジマス角のトラックとＬアジマス角のトラックを各々略半分ずつ走査し、磁気ヘッドのアジマス角と同一のトラックからは再生出力を得ることができる。
【０１１１】
ディジタル信号が記録された１本のトラックは、いくつかのデータをまとめて同期信号を付加したシンクブロックを複数含んでおり、トラックの一部を磁気ヘッドが走査した場合でも、シンクブロック単位で読み出すことができるので、ここで得られた再生出力をディジタル信号処理ブロック１７内のディジタル信号検出信号生成部に入力することにより、ディジタル信号検出信号を得ることができる。すなわち、ディジタル信号検出信号生成部は、１回の走査の内の略半分の区間で安定して周期的な同期信号が検出できた場合には、磁気テープ１にディジタル信号が記録されていると判定し、検出できなかった時にはアナログ信号が記録されていると判定し、ディジタル信号検出信号をディジタル／アナログ検出部１８に出力する。このようにディジタル信号を記録する走行速度の略２倍の走行速度で磁気テープ１を走行させることにより、磁気テープ１の位相を制御する必要なしに、１回の走査でディジタル／アナログの検出が可能になり、迅速な検出ができる。
【０１１２】
なお、本実施形態ではディジタル信号を記録する時間モードがひとつしかないとしたが、複数ある場合でも、最も磁気テープ１の走行速度が速い時間モードの略２倍の速度でディジタル／アナログの判定を行うことで同様の効果が得られる。
【０１１３】
さらに、本実施形態ではディジタル信号を記録する時間モードの略２倍の速度で磁気テープを走行させるとしたが、ディジタル信号を記録する時間モード以外の速度で走行させても良く、逆アジマス角のトラックを走査する可能性が増える分だけ多少検出に時間はかかるが、磁気テープ１の位相を制御する必要なしに、ディジタル／アナログの判定を行うことができる。
【０１１４】
図２３（ｂ）はディジタル／アナログ検出時に磁気テープ１を停止させる場合の例である。ディジタル／アナログ判定部１８は、テープ走行制御部１３に指令を出し、磁気テープ１の走行を停止させる。このとき、磁気ヘッドの走査軌跡は図２３（ｂ）に示す矢印のようになり、Ｒアジマスの磁気ヘッドもＬアジマスの磁気ヘッドも同一の走査軌跡上を走査する。この場合にも、各磁気ヘッドは１回の走査でＲアジマス角のトラックとＬアジマス角のトラックを各々略半分づつ走査し、磁気ヘッドのアジマス角と同一のトラックからは再生出力を得ることができる。ここで得られた再生出力をディジタル信号処理ブロック１７内のディジタル信号検出信号生成部に入力することにより、ディジタル信号検出信号を得ることができる。よって、磁気テープ１にディジタル信号が記録されているときには、各磁気ヘッドの１回の走査の内略半分程度の区間において、周期的な同期信号を取得でき、磁気テープ１に記録されている信号がディジタル信号であると判定可能である。
【０１１５】
このように磁気テープ１を停止させることにより、磁気テープ１の位相を制御する必要なしに、１回の走査でディジタル／アナログの検出が可能になり、迅速な判定ができるとともに、検出時に磁気テープの移動量がなく、使用者が意図したところから再生を開始可能である。また、特に再生装置にテープ挿入時などでは、未記録／時間モードの検出の前に、磁気テープ停止状態でディジタル／アナログの判定が可能であり、実際に出画するまでの時間を短縮可能である。
【０１１６】
なお、本実施形態ではディジタル信号検出信号により、磁気テープに記録された信号がディジタル信号かアナログ信号かの判定を行ったが、例えばアナログ信号中のＨシンクを検出してアナログ信号検出信号を生成するように構成し、このアナログ信号検出信号を用いてディジタル／アナログ判定を行っても同様の効果が得られる。さらに、ディジタル信号検出信号とアナログ信号検出信号の両方を用いても同様の効果が得られる。
【０１１７】
また、本実施形態では各磁気ヘッドの１回の走査の内略半分程度の区間において、周期的な同期信号を取得できるか否かで、ディジタル信号検出信号を生成するとしたが、トラックピッチよりも広いギャップ幅を有するヘッドを用いれば、各磁気ヘッドの１回の走査の半分よりも長い区間で周期的な同期信号を再生可能であるし、ギャップ幅の半分よりも多くオントラックしていなければ安定した同期信号が再生できないときには各磁気ヘッドの１回の走査の半分より短い区間でしか周期的な同期信号が再生できない。つまり、どれくらいの区間で周期的な同期信号が再生できたときにディジタル信号検出信号を有効にするかは、磁気テープ、磁気ヘッド、再生アンプ等の性能により決定すればよい。これはアナログ信号検出信号を用いる場合も同様である。
【０１１８】
もちろん、本実施形態で説明した方法は第１、第２、第３および第４の実施形態と組み合わせて適用可能であり、特に第３の実施形態で述べたようにリニア領域５０に記録されているコントロール信号の位相がＦＭ音声信号記録時とディジタル信号記録時で１８０度ずれている場合でも、ディジタル／アナログ検出時にコントロール信号の位相基準を変更する必要がなくなり、迅速なディジタル／アナログ判定が可能となる。
【図面の簡単な説明】
【０１１９】
【図１】本発明の第１の実施形態における再生装置のブロック図である。
【図２】本発明の第１の実施形態における未記録／時間モード判定処理フロー図である。
【図３】本発明の第１の実施形態におけるディジタル及びアナログ信号検出信号を用いた場合のディジタル／アナログ判定処理フロー図である。
【図４】本発明の第１の実施形態におけるディジタル信号処理ブロックの一例のブロック図である。
【図５】本発明の第１の実施形態におけるディジタル信号処理ブロックの別の例のブロック図である。
【図６】本発明の第１の実施形態におけるアナログ映像信号処理ブロックのブロック図である。
【図７】本発明の第１の実施形態におけるＦＭ音声信号処理ブロックのブロック図である。
【図８】本発明の第１の実施形態における状態遷移図である。
【図９】本発明の第１の実施形態におけるディジタル信号を再生する時間モードがひとつのみである場合の状態遷移図である。
【図１０】本発明の第２の実施形態における再生装置のブロック図である。
【図１１】本発明の第２の実施形態におけるディジタル信号検出信号のみを用いた場合のディジタル／アナログ判定処理フロー図である。
【図１２】本発明の第２の実施形態における再生装置のアナログ信号検出信号のみを用いた場合のブロック図である。
【図１３】本発明の第２の実施形態における再生装置の複数のアナログ用磁気ヘッドを用いた場合のブロック図である。
【図１４】（ａ）は本発明のＦＭ音声信号記録時のトラックパターンを示す図、（ｂ）は本発明の第１の実施形態におけるディジタル信号記録時のトラックパターンを示す図、（ｃ）は本発明の第３の実施形態におけるディジタル信号記録時のトラックパターンを示す図、（ｄ）は本発明の第３の実施形態におけるヘッドスイッチ信号と再生コントロール信号の関係を表すタイミング図である。
【図１５】本発明の第３の実施形態におけるディジタル／アナログ判定処理フロー図である。
【図１６】本発明の第４の実施形態における磁気テープ中に未記録領域がある場合のトラックパターンを示す図である。
【図１７】本発明の第４の実施形態における再生装置のブロック図である。
【図１８】本発明の第４の実施形態における未記録／時間モード判定処理フロー図である。
【図１９】本発明の第４の実施形態におけるディジタル／アナログ判定処理フロー図である。
【図２０】本発明の第４の実施形態における記憶された時間モード情報に基づいて優先的に時間モードを判定する処理フロー図である。
【図２１】本発明の第４の実施形態における記憶された再生モード情報に基づいて優先的に再生モードを判定する処理フロー図である。
【図２２】本発明の第５の実施形態における再生装置のブロック図である。
【図２３】（ａ）および（ｂ）は本発明の第５の実施形態における磁気ヘッドの走査軌跡を示す図である。
【符号の説明】
【０１２０】
１  磁気テープ
２  回転シリンダ
３  第１の磁気ヘッド
４  第１の磁気ヘッド
５  第２の磁気ヘッド
６  第２の磁気ヘッド
７  コントロールヘッド
１２  時間モード／未記録判定部
１３  テープ走行制御部
１５  アナログ映像信号処理ブロック
１６  ＦＭ音声信号処理ブロック
１７  ディジタル信号処理ブロック
１８  ディジタル／アナログ検出部
２５  長時間モード用磁気ヘッド
２６  長時間モード用磁気ヘッド
２９  ディジタル／アナログ判定部
１７１  時間モード記憶部
１７２  再生モード記憶部
【図１】
2005102244.tif 000003
【図２】
2005102244.tif 000004
【図３】
2005102244.tif 000005
【図４】
2005102244.tif 000006
【図５】
2005102244.tif 000007
【図６】
2005102244.tif 000008
【図７】
2005102244.tif 000009
【図８】
2005102244.tif 000010
【図９】
2005102244.tif 000011
【図１０】
2005102244.tif 000012
【図１１】
2005102244.tif 000013
【図１２】
2005102244.tif 000014
【図１３】
2005102244.tif 000015
【図１４】
2005102244.tif 000016
【図１５】
2005102244.tif 000017
【図１６】
2005102244.tif 000018
【図１７】
2005102244.tif 000019
【図１８】
2005102244.tif 000020
【図１９】
2005102244.tif 000021
【図２０】
2005102244.tif 000022
【図２１】
2005102244.tif 000023
【図２２】
2005102244.tif 000024
【図２３】
2005102244.tif 000025